(57)【要約】      （修正有）【課題】フラッシュメモリのデータのバックアップ処理や一括消去及び書き込みが行われている場合、電源がオフにされないようにユーザに知らせる。【解決手段】ＦＡＸ通信が開始されると（１００）、送受信中ランプを点灯し、表示パネルにＦＡＸ通信中を示すメッセージを表示する（１０２）。フラッシュメモリの空き容量がＦＡＸ通信に関するログデータのデータ容量より小さいと（１０６）、フラッシュメモリに記憶されている全データをバックアップ用フラッシュメモリへコピーし（１１２）、フラッシュメモリの全データを一括消去し（１１４）、バックアップ用フラッシュメモリに記憶されたバックアップデータの中から特定のデータを再びフラッシュメモリへ書きこむと共に、ステップ１００のＦＡＸ通信に関するログデータをフラッシュメモリへ書きこむ（１１６）。そして、送受信中ランプを消灯し、ＦＡＸ通信中のメッセージの表示を中止する（１１８）。【選択図】図２
2006245690.tif 000002
【特許請求の範囲】
【請求項１】
データを記憶するフラッシュメモリと、
前記フラッシュメモリに記憶されたデータをバックアップデータとして記憶するバックアップ用メモリと、
前記フラッシュメモリに新たに記憶するデータが前記フラッシュメモリの空き記憶領域に記憶可能か否かを判定する判定手段と、
前記判定手段によって前記新たに記憶するデータが記憶可能でないと判定されたときに、前記フラッシュメモリに記憶されたデータを前記バックアップ用メモリに記憶し、前記フラッシュメモリに記憶されたデータを消去した後、前記バックアップ用メモリに記憶されたデータの中の特定のデータ及び前記新たに記憶するデータを前記フラッシュメモリに記憶させる記憶制御処理を行う記憶制御手段と、
前記記憶制御手段によって前記記憶制御処理が行われていることを報知する報知手段と、
を含むファクシミリ装置。
【請求項２】
前記報知手段は、ファクシミリ通信の開始から前記記憶制御処理が終了するまで、ファクシミリ通信を行っていることをディスプレイに表示することにより、前記記憶制御処理が行われていることを報知する請求項１に記載のファクシミリ装置。
【請求項３】
前記報知手段は、ファクシミリ通信の開始から前記記憶制御処理が終了するまで、ファクシミリ通信を行っていることを示すランプ及び発光素子の少なくとも一方を点灯させることにより、前記記憶制御処理が行われていることを報知する請求項１に記載のファクシミリ装置。
【発明の詳細な説明】
【技術分野】
【０００１】
この発明は、ファクシミリ装置に係り、特に、フラッシュメモリを備えたファクシミリ装置に関する。
【背景技術】
【０００２】
従来、ファクシミリ装置にはメモリが設けられており、ファクシミリ通信（ＦＡＸ通信）終了後にログデータがメモリに書き込まれる。このログデータが書きこまれるメモリとしてフラッシュメモリを使用している場合、フラッシュメモリの空き容量が不足していると、フラッシュメモリに記憶されているデータのバックアップデータが他のメモリに記憶された後に、フラッシュメモリの全データが一括消去され、バックアップデータの中から特定のデータが再びフラッシュメモリに書き込まれると共に、ログデータがフラッシュメモリに書き込まれる。
【０００３】
また、ファクシミリ装置では、ＦＡＸ通信が行われている間、コントロールパネルにＦＡＸ通信中であることが表示されたり、ＦＡＸ通信中であることを示すランプが点灯されている。
【発明の開示】
【発明が解決しようとする課題】
【０００４】
しかしながら、通信終了後にフラッシュメモリの一括消去や書き込み処理が行われている間は、ユーザには何も知らされないため、ファクシミリ装置の電源がオフにされてしまう可能性があり、フラッシュメモリのデータが壊されてしまう、という問題がある。
【０００５】
本発明は、上記の問題点を解決するためになされたもので、フラッシュメモリのデータのバックアップ処理やフラッシュメモリの一括消去及び書き込みが行われている場合、電源がオフにされないようにユーザに知らせることができるファクシミリ装置を提供することを目的とする。
【課題を解決するための手段】
【０００６】
上記の目的を達成するために本発明に係るファクシミリ装置は、データを記憶するフラッシュメモリと、前記フラッシュメモリに記憶されたデータをバックアップデータとして記憶するバックアップ用メモリと、前記フラッシュメモリに新たに記憶するデータが前記フラッシュメモリの空き記憶領域に記憶可能か否かを判定する判定手段と、前記判定手段によって前記新たに記憶するデータが記憶可能でないと判定されたときに、前記フラッシュメモリに記憶されたデータを前記バックアップ用メモリに記憶し、前記フラッシュメモリに記憶されたデータを消去した後、前記バックアップ用メモリに記憶されたデータの中の特定のデータ及び前記新たに記憶するデータを前記フラッシュメモリに記憶させる記憶制御処理を行う記憶制御手段と、前記記憶制御手段によって前記記憶制御処理が行われていることを報知する報知手段とを含んで構成されている。
【０００７】
本発明に係るファクシミリ装置によれば、判定手段によって、フラッシュメモリに新たに記憶するデータがフラッシュメモリの空き記憶領域に記憶可能か否かを判定し、判定手段によって新たに記憶するデータが記憶可能でないと判定されたときに、記憶制御手段によって、フラッシュメモリに記憶されたデータをバックアップ用メモリに記憶し、フラッシュメモリに記憶されたデータを消去した後、バックアップ用メモリに記憶されたデータの中の特定のデータ及び新たに記憶するデータをフラッシュメモリに記憶させる記憶制御処理を行う。そして、報知手段によって、記憶制御手段によって記憶制御処理が行われていることを報知する。
【０００８】
従って、フラッシュメモリに記憶されたデータをバックアップし、フラッシュメモリのデータを消去し、フラッシュメモリに記憶していることを報知することにより、電源がオフにされないようにユーザに知らせることができる。
【０００９】
また、本発明に係る報知手段は、ファクシミリ通信の開始から記憶制御処理が終了するまで、ファクシミリ通信を行っていることをディスプレイに表示することにより、記憶制御処理が行われていることを報知することができる。これによって、既存のディスプレイを用いるため、安価な構成で、記憶制御処理が行われていることを報知することができる。
【００１０】
また、本発明に係る報知手段は、ファクシミリ通信の開始から前記記憶制御処理が終了するまで、ファクシミリ通信を行っていることを示すランプ及び発光素子の少なくとも一方を点灯させることにより、記憶制御処理が行われていることを報知することができる。これによって、既存のランプや発光素子を用いるため、安価な構成で、記憶制御処理が行われていることを報知することができる。
【発明の効果】
【００１１】
以上説明したように、本発明のファクシミリ装置によれば、フラッシュメモリに記憶されたデータをバックアップし、フラッシュメモリのデータを消去し、フラッシュメモリに記憶していることを報知することにより、電源がオフにされないようにユーザに知らせることができる、という効果が得られる。
【発明を実施するための最良の形態】
【００１２】
以下、本発明の実施の形態について図面を参照して詳細に説明する。本実施の形態では、ファクシミリの機能の他にプリントやスキャンなどの機能を備えた複合機に本発明を適用した場合を例に説明する
図１に示すように、ファクシミリ通信システム１０は、プリント、スキャン、ファクシミリ、転送などの各機能を備えた複合機１２と、クライアントＰＣ１４と、ＬＡＮなどから構成されるネットワーク１６とを備えており、複合機１２とクライアントＰＣ１４とはネットワーク１６を介して接続されている。
【００１３】
複合機１２は、文書をスキャンして文書データを生成するスキャナ部２０と、感光体に静電潜像を記録し、静電潜像をモノクロトナーまたはカラートナーを用いて現像し、現像した画像を記録紙に転写して出力するプリンタ部２２と、ファクシミリ電文の送受信を行うＦＡＸ部２４とを備えている。
【００１４】
複合機１２は、さらに、アイコンを有する画面を表示すると共にアイコンへの接触に応じて操作情報を入力する表示パネル２６と、複合機１２を操作するためのボタンや複合機１２の状態を示すランプが備えられた操作パネル２７と、スキャナ部２０で読み取られた画像データやネットワーク１６を介して受信した画像データ、ＦＡＸ受信電文のデータ等を記憶するメモリ２８と、全体を制御するコントローラ３０と、データを入出力するための入出力ポート３２と、ネットワーク１６に接続された機器と通信を行うネットワークインタフェース３４とを備えている。
【００１５】
スキャナ部２０、プリンタ部２２、ＦＡＸ部２４、表示パネル２６、操作パネル２７、メモリ２８、コントローラ３０、及び入出力ポート３２は、バスを介して相互に接続されており、入出力ポート３２は、ネットワークインタフェース３４を介してネットワーク１６と接続されている。
【００１６】
ＦＡＸ部２４は、制御情報を含むデータを記憶するためのフラッシュメモリ３６、フラッシュメモリ３６に記憶された全データをバックアップデータとして記憶するためのバックアップ用フラッシュメモリ３８、ＣＰＵ、ＲＯＭ、及びＲＡＭから構成され、ＦＡＸ部２４の各部を制御する制御部４０、モデムやモジュラージャックから構成され、ファクシミリ電文を送受信するための通信部４２、音声を出力するスピーカ４４、及びこれらを相互に接続するためのバス４６を備えている。また、バス４６は入出力ポート３２に接続されており、通信部４２は電話回線に接続されている。
【００１７】
フラッシュメモリ３６及びバックアップ用フラッシュメモリ３８は、記憶されている全データが電気的に一括消去されるように構成されており、フラッシュメモリ３６には、短縮ダイヤルに関する短縮データやシステムデータなどの制御情報及び通信ログデータが記憶されている。
【００１８】
なお、クライアントＰＣ１４は、従来公知のパーソナルコンピュータの一般的構成を備えたものであればよく、本実施の形態では、クライアントＰＣ１４の一般的処理の説明は省略する。
【００１９】
次に、本実施の形態に係る複合機１２の作用について、文書をＦＡＸ送信する場合を例に説明する。まず、ユーザにより、送信対象となる文書が複合機１２のスキャナ部２０にセットされ、表示パネル２６や操作パネル２７を操作して、ＦＡＸ送信を指示すると、複合機１２のＦＡＸ部２４において、図２に示す通信表示処理ルーチンが実行される。
【００２０】
まず、ステップ１００において、ＦＡＸ通信を開始したか否かを判定し、ユーザによってＦＡＸ送信が指示されると、セットされた文書がスキャナ部でスキャンされ、文書データに基づいてファクシミリ電文が生成され、指定された通信先との通信を開始すると、ステップ１００からステップ１０２へ進み、図３に示すように、操作パネル２７の送受信中ランプ５０を点灯させると共に、表示パネル２６によって「ＦＡＸ通信中です」というメッセージを表示させる。
【００２１】
そして、ステップ１０４において、ＦＡＸ通信が終了したか否かを判定し、ファクシミリ電文が指定された通信先に送信されると、ステップ１０４からステップ１０６へ進み、フラッシュメモリ３６の空き記憶領域にステップ１００のＦＡＸ通信に関するログデータを書きこむことができるか否かを判定する。フラッシュメモリ３６の空き容量がＦＡＸ通信に関するログデータのデータ容量以上であると、ステップ１０８において、送受信中ランプ５０を消灯させ、また、表示パネル２６における「ＦＡＸ通信中です」というメッセージの表示を中止させる。次のステップ１１０では、フラッシュメモリ３６の空き記憶領域にログデータを書き込み、通信表示処理ルーチンを終了する。
【００２２】
一方、フラッシュメモリ３６の空き容量がＦＡＸ通信に関するログデータのデータ容量より小さいと、ステップ１１２において、フラッシュメモリ３６に記憶されている全データをバックアップ用フラッシュメモリ３８へコピーしてバックアップ処理を行い、ステップ１１４において、フラッシュメモリ３６の全データを電気的に一括消去し、ステップ１１６で、バックアップ用フラッシュメモリ３８に記憶されたバックアップデータの中から制御情報などの特定のデータを再びフラッシュメモリ３６へ書きこむと共に、ステップ１００のＦＡＸ通信に関するログデータをフラッシュメモリ３６へ書きこむ。そして、ステップ１１８において、送受信中ランプ５０を消灯させ、また、表示パネル２６における「ＦＡＸ通信中です」というメッセージの表示を中止させて、通信表示処理ルーチンを終了する。
【００２３】
次に、複合機１２のＦＡＸ部２４におけるデータ書き込み処理ルーチンについて図４を用いて説明する。なお、上記の通信表示処理ルーチンと同一の処理については、同一符号を付して詳細な説明を省略する。
【００２４】
まず、ステップ１３０において、フラッシュメモリ３６に書き込むデータが入力されたか否かを判定する。例えば、クライアントＰＣ１４において生成された短縮データがクライアントＰＣ１４から入力されると、ステップ１３０からステップ１３２へ進み、フラッシュメモリ３６の空き記憶領域に短縮データを書き込むことができるか否かを判定し、短縮データのデータ容量よりフラッシュメモリ３６の空き容量の方が大きいと、ステップ１３４において、短縮データをフラッシュメモリ３６の空き記憶領域に書き込み、データ書き込み処理ルーチンを終了する。
【００２５】
一方、短縮データのデータ容量よりフラッシュメモリ３６の空き容量の方が小さいと、ステップ１０２において、操作パネル２７の送受信中ランプ５０を点灯させると共に、表示パネル２６に「ＦＡＸ通信中です」というメッセージを表示させる。そして、ステップ１１２において、フラッシュメモリ３６に記憶されている全データをバックアップ用フラッシュメモリ３８へコピーしてバックアップ処理を行い、ステップ１１４において、フラッシュメモリ３６の全データを電気的に一括消去し、ステップ１１６で、フラッシュメモリ３６に、バックアップ用フラッシュメモリ３８に記憶されたバックアップデータの中から制御情報などの特定のデータを再びフラッシュメモリ３６へ書きこむと共に、入力された短縮データをフラッシュメモリ３６へ書きこむ。そして、ステップ１１８において、送受信中ランプ５０を消灯させ、また、表示パネル２６における「ＦＡＸ通信中です」というメッセージの表示を中止させて、データ書き込み処理ルーチンを終了する。
【００２６】
以上説明したように、本実施の形態に係る複合機によれば、フラッシュメモリに記憶された全データをバックアップし、フラッシュメモリの全データを消去し、特定のデータを再びフラッシュメモリに書き込んでいるときに、表示パネル上にメッセージを表示したり、ランプを点灯させることにより、電源がオフにされないようにユーザに知らせることができ、フラッシュメモリのデータが壊れることによるトラブル発生を防ぐことができる。
【００２７】
また、既存のファクシミリ装置に設けられている操作パネルのランプや表示パネルを用いるため、安価な構成で、電源がオフにされないようにユーザに知らせることができる。
【００２８】
なお、上記では、表示パネル上にメッセージを表示したり、ランプを点灯させる場合を例に説明したが、スピーカから音を出すことによって、電源がオフにされないようにユーザに知らせるようにしてもよい。
【００２９】
また、複合機により本発明を実現する場合を例に説明したが、ファクシミリ機によって本発明を実現してもよい。
【００３０】
また、バックアップ用のメモリがフラッシュメモリによって実現されている場合を例に説明したが、これに限定されるものではなく、バックアップ用のメモリがＲＡＭによって実現されていてもよい。
【図面の簡単な説明】
【００３１】
【図１】本発明の実施の形態に係るファクシミリ通信システムの構成を示す概略図である。
【図２】本発明の実施の形態に係る通信表示処理ルーチンの内容を示すフローチャートである。
【図３】本発明の実施の形態に係る表示パネル及び操作パネルのイメージ図である。
【図４】本発明の実施の形態に係るデータ書き込み処理ルーチンの内容を示すフローチャートである。
【符号の説明】
【００３２】
１０  ファクシミリ通信システム
１２  複合機
１６  ネットワーク
２４  ＦＡＸ部
２６  表示パネル
２７  操作パネル
３６  フラッシュメモリ
３８  バックアップ用フラッシュメモリ
４０  制御部
４４  スピーカ
５０  送受信中ランプ
【図１】
2006245690.tif 000003
【図２】
2006245690.tif 000004
【図３】
2006245690.tif 000005
【図４】
2006245690.tif 000006